(57)【要約】【課題】電線や電気機能部品などの配置の自由度を高めた光源ユニット及び照明器具を提供する。【解決手段】取付部材２１は、長尺且つ矩形板状に形成され、一面にＬＥＤ基板２２が取り付けられる底面部２１１と、底面部２１１の幅方向における両側から底面部２１１に対してＬＥＤ基板２２と反対側で且つ底面部２１１と交差する方向に突出する側面部２１２ｃ，２１２ｄとで形成される。収納ケース２４２は、取付部材２１の側面部２１２ｃと対向する側面部２４２ｈと、取付部材２１の側面部２１２ｄと対向する側面部２４２ｄとを有する。そして、収納ケース２４２は、側面部２１２ｄから側面部２４２ｄまでの距離が、側面部２１２ｃから側面部２４２ｈまでの距離よりも長くなるように配置される。また、取付部材２１の底面部２１１及び側面部２１２ｃ，２１２ｄで囲まれる空間に収納ケース２４２が配置される。【選択図】図４
2014078512.tif 000002
【特許請求の範囲】
【請求項１】
複数のＬＥＤが実装されたＬＥＤ基板と、前記ＬＥＤ基板が取り付けられる取付部材と、前記複数のＬＥＤに点灯電力を供給する電源装置とを備え、
前記取付部材は、長尺且つ矩形板状に形成され一面に前記ＬＥＤ基板が取り付けられる底面部と、前記底面部の幅方向における両側から前記底面部に対して前記ＬＥＤ基板と反対側で且つ前記底面部と交差する方向に突出する第１側面部及び第２側面部とで形成されており、
前記電源装置は、少なくとも前記点灯電力を生成するための回路部品が実装された電源基板と、前記電源基板を収納するための収納ケースとを有し、
前記収納ケースは、前記取付部材の前記第１側面部と対向する第１側面部と、前記取付部材の前記第２側面部と対向する第２側面部とを有し、前記取付部材の前記第２側面部から前記収納ケースの前記第２側面部までの距離が、前記取付部材の前記第１側面部から前記収納ケースの前記第１側面部までの距離よりも長くなるように配置され、
前記取付部材の前記底面部、前記第１側面部及び前記第２側面部で囲まれる空間に前記収納ケースが配置されることを特徴とする光源ユニット。
【請求項２】
前記取付部材の前記底面部及び前記第２側面部と、前記収納ケースの前記第２側面部とで囲まれる空間により配線スペースが形成されていることを特徴とする請求項１記載の光源ユニット。
【請求項３】
前記収納ケースは、前記取付部材に取り付けた状態で前記底面部と対向する一面が開口した矩形箱状の収納部と、前記収納部の開口端縁から前記底面部の幅方向に沿って延出する第１延出部、前記第１延出部の先端から前記第１延出部に対して前記底面部と反対側で且つ前記第１延出部と交差する方向に延出する第２延出部、及び前記第２延出部と対向する前記収納部の側面部で囲まれる空間からなる溝部とを有していることを特徴とする請求項１又は２記載の光源ユニット。
【請求項４】
長尺状に形成された器具本体と、前記器具本体に取り付けられる光源ユニットとを備え、
前記光源ユニットは、複数のＬＥＤが実装されたＬＥＤ基板と、前記複数のＬＥＤが前記器具本体と反対側を向くようにして前記ＬＥＤ基板を前記器具本体に取り付けるための取付部材と、前記複数のＬＥＤに点灯電力を供給する電源装置とを有し、
前記取付部材は、長尺且つ矩形板状に形成され一面に前記ＬＥＤ基板が取り付けられる底面部と、前記底面部の幅方向における両側から前記底面部に対して前記ＬＥＤ基板と反対側で且つ前記底面部と交差する方向に突出する第１側面部及び第２側面部とで形成されており、
前記電源装置は、少なくとも前記点灯電力を生成するための回路部品が実装された電源基板と、前記電源基板を収納するための収納ケースとを有し、
前記収納ケースは、前記取付部材の前記第１側面部と対向する第１側面部と、前記取付部材の前記第２側面部と対向する第２側面部とを有し、前記取付部材の前記第２側面部から前記収納ケースの前記第２側面部までの距離が、前記取付部材の前記第１側面部から前記収納ケースの前記第１側面部までの距離よりも長くなるように配置され、
前記取付部材の前記底面部、前記第１側面部及び前記第２側面部で囲まれる空間に前記収納ケースが配置されることを特徴とする照明器具。
【請求項５】
前記取付部材の前記底面部及び前記第２側面部と、前記収納ケースの前記第２側面部とで囲まれる空間により配線スペースが形成されていることを特徴とする請求項４記載の照明器具。
【請求項６】
前記収納ケースは、前記取付部材に取り付けた状態で前記底面部と対向する一面が開口した矩形箱状の収納部と、前記収納部の開口端縁から前記底面部の幅方向に沿って延出する第１延出部、前記第１延出部の先端から前記第１延出部に対して前記底面部と反対側で且つ前記第１延出部と交差する方向に延出する第２延出部、及び前記第２延出部と対向する前記収納部の側面部で囲まれる空間からなる溝部とを有していることを特徴とする請求項４又は５記載の照明器具。
【発明の詳細な説明】
【技術分野】
【０００１】
本発明は、光源ユニット及び照明器具に関するものである。
【背景技術】
【０００２】
従来より、天井に取り付けられる天井直付け型の照明器具が提供されている（例えば特許文献１参照）。この照明器具は、横長且つ長尺状に形成された器具本体と、係止部材を用いて器具本体に取り付けられる光源部と、光源部に点灯電力を供給する点灯装置とを備え、器具本体の略中央には光源部を収容するための収容凹部が全長に亘って設けられている。
【０００３】
また、光源部は、横長且つ長尺状に形成された取付部材と、複数の発光素子がそれぞれ実装され取付部材の下面に並べて取り付けられる複数の基板と、複数の基板を覆うようにして取付部材に取り付けられるカバー部材とを有する。そして、一体に組み付けられた光源部は、その一部が器具本体の収容凹部に収容された状態で、係止部材を用いて器具本体に取り付けられる。
【先行技術文献】
【特許文献】
【０００４】
【特許文献１】特開２０１２−３９９３号公報
【発明の概要】
【発明が解決しようとする課題】
【０００５】
上述の特許文献１に示した照明器具では、器具本体に設けられた収容凹部の底面に点灯装置が取り付けられているが、例えば点灯装置を取付部材に取り付ける場合には取付部材の上面（上記基板が取り付けられる面と反対側の面）に取り付けるのが一般的である。しかしながら、取付部材の幅方向における中央に点灯装置を取り付けた場合には、点灯装置の両側にスペースができるものの、このスペースに配置される電線や電気機能部品の大きさによっては上記スペースに配置できない場合があった。
【０００６】
本発明は上記問題点に鑑みて為されたものであり、その目的とするところは、電線や電気機能部品などの配置の自由度を高めた光源ユニット及び照明器具を提供することにある。
【課題を解決するための手段】
【０００７】
本発明の光源ユニットは、複数のＬＥＤが実装されたＬＥＤ基板と、前記ＬＥＤ基板が取り付けられる取付部材と、前記複数のＬＥＤに点灯電力を供給する電源装置とを備え、前記取付部材は、長尺且つ矩形板状に形成され一面に前記ＬＥＤ基板が取り付けられる底面部と、前記底面部の幅方向における両側から前記底面部に対して前記ＬＥＤ基板と反対側で且つ前記底面部と交差する方向に突出する第１側面部及び第２側面部とで形成されており、前記電源装置は、少なくとも前記点灯電力を生成するための回路部品が実装された電源基板と、前記電源基板を収納するための収納ケースとを有し、前記収納ケースは、前記取付部材の前記第１側面部と対向する第１側面部と、前記取付部材の前記第２側面部と対向する第２側面部とを有し、前記取付部材の前記第２側面部から前記収納ケースの前記第２側面部までの距離が、前記取付部材の前記第１側面部から前記収納ケースの前記第１側面部までの距離よりも長くなるように配置され、前記取付部材の前記底面部、前記第１側面部及び前記第２側面部で囲まれる空間に前記収納ケースが配置されることを特徴とする。
【０００８】
この光源ユニットにおいて、前記取付部材の前記底面部及び前記第２側面部と、前記収納ケースの前記第２側面部とで囲まれる空間により配線スペースが形成されているのが好ましい。
【０００９】
また、この光源ユニットにおいて、前記収納ケースは、前記取付部材に取り付けた状態で前記底面部と対向する一面が開口した矩形箱状の収納部と、前記収納部の開口端縁から前記底面部の幅方向に沿って延出する第１延出部、前記第１延出部の先端から前記第１延出部に対して前記底面部と反対側で且つ前記第１延出部と交差する方向に延出する第２延出部、及び前記第２延出部と対向する前記収納部の側面部で囲まれる空間からなる溝部とを有しているのも好ましい。
【００１０】
本発明の照明器具は、長尺状に形成された器具本体と、前記器具本体に取り付けられる光源ユニットとを備え、前記光源ユニットは、複数のＬＥＤが実装されたＬＥＤ基板と、前記複数のＬＥＤが前記器具本体と反対側を向くようにして前記ＬＥＤ基板を前記器具本体に取り付けるための取付部材と、前記複数のＬＥＤに点灯電力を供給する電源装置とを有し、前記取付部材は、長尺且つ矩形板状に形成され一面に前記ＬＥＤ基板が取り付けられる底面部と、前記底面部の幅方向における両側から前記底面部に対して前記ＬＥＤ基板と反対側で且つ前記底面部と交差する方向に突出する第１側面部及び第２側面部とで形成されており、前記電源装置は、少なくとも前記点灯電力を生成するための回路部品が実装された電源基板と、前記電源基板を収納するための収納ケースとを有し、前記収納ケースは、前記取付部材の前記第１側面部と対向する第１側面部と、前記取付部材の前記第２側面部と対向する第２側面部とを有し、前記取付部材の前記第２側面部から前記収納ケースの前記第２側面部までの距離が、前記取付部材の前記第１側面部から前記収納ケースの前記第１側面部までの距離よりも長くなるように配置され、前記取付部材の前記底面部、前記第１側面部及び前記第２側面部で囲まれる空間に前記収納ケースが配置されることを特徴とする。
【００１１】
この照明器具において、前記取付部材の前記底面部及び前記第２側面部と、前記収納ケースの前記第２側面部とで囲まれる空間により配線スペースが形成されているのが好ましい。
【００１２】
また、この照明器具において、前記収納ケースは、前記取付部材に取り付けた状態で前記底面部と対向する一面が開口した矩形箱状の収納部と、前記収納部の開口端縁から前記底面部の幅方向に沿って延出する第１延出部、前記第１延出部の先端から前記第１延出部に対して前記底面部と反対側で且つ前記第１延出部と交差する方向に延出する第２延出部、及び前記第２延出部と対向する前記収納部の側面部で囲まれる空間からなる溝部とを有しているのも好ましい。
【発明の効果】
【００１３】
取付部材の第１側面部に電源装置を取り付けているので、底面部の幅方向における中央に電源装置を取り付けた場合に比べて大きなスペースを確保することができる。これにより、比較的大きい電線や電気機能部品などを上記スペースに配置することができることから、電線や電気機能部品の配置の自由度を高めることができるという効果がある。
【図面の簡単な説明】
【００１４】
【図１】（ａ）は本実施形態の光源ユニットを用いた照明器具の一例を示す分解斜視図、（ｂ）は同上に用いられる取付部材の要部拡大図である。
【図２】同上を用いた照明器具の全体斜視図である。
【図３】照明器具から同上を取り外した状態の斜視図である。
【図４】（ａ）は同上の断面図、（ｂ）は同上を用いた照明器具の断面図である。
【図５】同上に用いられる取付部材に電源装置を取り付けた状態の一例を示し、（ａ）は上側から見た斜視図、（ｂ）は下側から見た斜視図である。
【図６】同上に用いられる取付部材に電源装置を取り付けた状態の一例を示し、（ａ）は右側面図、（ｂ）は上面図、（ｃ）は左側面図である。
【図７】同上に用いられる取付部材に電源装置を取り付けた状態の別の例を示し、（ａ）は右側面図、（ｂ）は上面図、（ｃ）は左側面図である。
【図８】（ａ）は同上の断面図、（ｂ）は同上を用いた照明器具の別の例を示す断面図である。
【発明を実施するための形態】
【００１５】
以下に、照明器具Ａの実施形態について図１〜図８を参照して説明する。なお、以下の説明では特に断りがない限り、図４（ｂ）に示す向きにおいて上下左右の方向を規定し、さらに図４（ｂ）中の紙面に垂直な方向を前後方向と規定して説明を行う。
【００１６】
本実施形態の照明器具Ａは、図１〜図４に示すように、天井直付け型の照明器具であり、吊ボルト２００（図４（ｂ）参照）を用いて天井材１００に取り付けられる器具本体１と、器具本体１に対して着脱自在に取り付けられる光源ユニット２とを備える。
【００１７】
器具本体１は、板金に曲げ加工を施すことで長尺且つ上面（天井材１００との対向面）が開口する扁平な箱状に形成され、天井材１００と反対側（つまり下側）には光源ユニット２を収容するための矩形の収容凹部１１が器具本体１の全長に亘って設けられている。また、器具本体１の左右方向（幅方向）において収容凹部１１の両側には、収容凹部１１の開口端縁から延出し且つ外側に行くほど上側（天井材１００側）に傾斜する傾斜面１２，１２がそれぞれ設けられている。
【００１８】
また、収容凹部１１の底面部１１１には、電線を通すための孔１１１ａが前後方向（長手方向）に沿って複数（図１（ａ）では５個）設けられており、前後方向における両端寄りの位置に吊ボルト２００を通すための孔１１１ｂがそれぞれ２個ずつ設けられている。さらに、器具本体１の前後方向における両端部には、図１〜図３に示すように、エンドキャップ３がそれぞれ取り付けられている。
【００１９】
光源ユニット２は、図１（ａ）及び図４（ａ）に示すように、複数（図１（ａ）では２個）のＬＥＤ基板２２と、ＬＥＤ基板２２が取り付けられる取付部材２１と、ＬＥＤ基板２２を覆うようにして取付部材２１に取り付けられるカバー部材２３とを有する。また、光源ユニット２は、ＬＥＤ基板２２に所定の点灯電力を供給する電源装置２４と、端子台ブロック２５とを有する。
【００２０】
ＬＥＤ基板２２は、前後方向に長い矩形板状に形成されたプリント基板２２１からなり、プリント基板２２１の下面には複数のＬＥＤ（発光ダイオード）２２２が前後方向（長手方向）に沿って実装されている。また、一方（図１（ａ）中の右側）のＬＥＤ基板２２の一端部（右端部）には、電源装置２４との間を電気的に接続するためのコネクタ２２３が実装されている。コネクタ２２３には電線（図示せず）が接続され、電線の端部を電源装置２４に接続することでＬＥＤ基板２２と電源装置２４とが電気的に接続される。
【００２１】
また、各ＬＥＤ基板２２において隣接するＬＥＤ基板２２と対向する端部には、電源供給用のコネクタ２２４がそれぞれ実装されている。そして、両ＬＥＤ基板２２，２２のコネクタ２２４，２２４を接続することで、一方（図１（ａ）中の右側）のＬＥＤ基板２２から他方（図１（ａ）中の左側）のＬＥＤ基板２２に電源を供給することができる。
【００２２】
取付部材２１は、板金に曲げ加工を施すことでＵ字状に形成され、長尺且つ矩形板状に形成された底面部２１１と、側面部２１２ｃ（第１側面部）及び側面部２１２ｄ（第２側面部）とで構成される。側面部２１２ｃ，２１２ｄは、底面部２１１の左右方向（幅方向）における両端から上下方向（底面部２１１と直交する方向）に延出する。側面部２１２ｃ，２１２ｄの先端には、図４（ａ）に示すように、互いに離れる方向に傾斜する傾斜部２１２ａがそれぞれ全長に亘って設けられている。
【００２３】
底面部２１１の前後方向（長手方向）における一端部（図１（ａ）中の右端部）には、ＬＥＤ基板２２と電源装置２４とを電気的に接続する上記電線を通すための孔２１１ａが設けられている。また、底面部２１１の前後方向における略中央には、底面部２１１の一部を上向きに突出させることで形成された矩形の凹部２１１ｂが設けられている。この凹部２１１ｂは、両ＬＥＤ基板２２，２２を取付部材２１に取り付けた状態で、コネクタ２２４と取付部材２１の底面部２１１との間の絶縁距離を確保するためのものである。
【００２４】
さらに、側面部２１２ｃ，２１２ｄには、図１（ｂ）に示すように、側面部２１２ｃ，２１２ｄの一部を切り欠くことで形成された係止爪２１２ｂがそれぞれ２個ずつ設けられている（図１（ｂ）では側面部２１２ｄのみ図示）。なお、上述したＬＥＤ基板２２は、取付部材２１の底面部２１１の一部を切り起こすことで形成された係止爪２１１ｃ（図５（ａ）参照）により取付部材２１の底面部２１１に固定される。
【００２５】
カバー部材２３は、拡散性を有する材料（例えば乳白色のアクリル樹脂）により上面（取付部材２１側の面）が開口する長尺状に形成されている。このカバー部材２３は、左右方向（幅方向）において両端側から中央側に行くほど下側への突出量が大きくなるような凸レンズ形状の拡散面２３１を有している（図４（ａ）参照）。
【００２６】
また、カバー部材２３の左右方向における両端部には、図４（ｂ）に示すように、光源ユニット２を器具本体１に取り付けた状態で、上下方向において器具本体１の収容凹部１１の開口端縁と重なる延出部２３２がそれぞれ設けられている。また、カバー部材２３の左右方向において各延出部２３２の内側には、上側（取付部材２１側）に突出する突壁部２３３がそれぞれ全長に亘って設けられており、各突壁部２３３の先端には内向きに突出する突起部２３３ａがそれぞれ設けられている。
【００２７】
電源装置２４は、電源基板２４１と、電源基板２４１を収納するための収納ケース２４２とを有する。電源基板２４１は、前後方向に長い矩形板状に形成されたプリント基板２４１ａからなり、プリント基板２４１ａには、少なくともＬＥＤ２２２の点灯電力を生成するための回路部品（例えばトランスやダイオード、コンデンサなど）２４１ｂが実装されている。
【００２８】
収納ケース２４２は、図４（ａ）に示すように、一面（取付部材２１の底面部２１１との対向面）が開口し且つ前後方向に長い矩形箱状の収納部２４２ａを有する。また、収納ケース２４２は、第１延出部２４２ｂ、第２延出部２４２ｃ及び収納部２４２ａの側面部２４２ｄで囲まれる空間からなる溝部２４２ｅを有する。
【００２９】
第１延出部２４２ｂは、収納部２４２ａの開口端縁から側方（図４（ａ）中の左側）に延出し、第２延出部２４２ｃは、第１延出部２４２ｂの先端から上側（器具本体１側）に延出する。また、収納部２４２ａの側面部２４２ｄ（第２側面部）は、第２延出部２４２ｃと対向する。
【００３０】
この溝部２４２ｅは、端子台ブロック２５から電源装置２４への電線や、電源装置２４からＬＥＤ基板２２への電線、隣接する照明器具Ａへ電力を送る電線などを通すための配線スペースとして利用されたり、電気機能部品を配置するために利用される。ここに、電気機能部品とは、電源と負荷（本実施形態ではＬＥＤ２２２）との間の電気回路を構成する部品のことであり、例えば端子台などが挙げられる。
【００３１】
また、収納部２４２ａにおいて側面部２４２ｄと対向する側面部２４２ｈ（第１側面部）には、図５（ａ）及び図５（ｂ）に示すように、矩形の開口部２４２ｇを有する矩形の取付片２４２ｆが前後両側に設けられている。さらに、収納部２４２ａの側面部２４２ｄと対向する第２延出部２４２ｃにも、前後方向における両端寄りの位置に矩形の開口部２４２ｇが設けられている。
【００３２】
そして、この電源装置２４は、取付部材２１の底面部２１１及び両側面部２１２ｃ，２１２ｄで囲まれる空間からなる収容部２１３に収容された状態で取付部材２１に取り付けられる。なお、取付方法については後述する。
【００３３】
端子台ブロック２５は、矩形箱状に形成された端子台２５１と、端子台２５１を取付部材２１に取り付けるための取付金具２５２とを有する。端子台２５１には、天井材１００を通して室内側（下側）に露出する電源線（図示せず）が接続されるとともに、電源装置２４との間を電気的に接続する電線（図示せず）が接続される。そして、この端子台ブロック２５は、少なくとも一部が収容部２１３に収容された状態で、例えばねじなどを用いて取付部材２１に取り付けられる。
【００３４】
ここで、図５及び図６は電源装置２４を取付部材２１に取り付けた状態の一例を示しており、以下に取付手順について説明する。まず最初に、作業者は、収納部２４２ａの開口側を取付部材２１側に向けた状態で電源装置２４を取付部材２１の収容部２１３に配置する。このとき、作業者は、取付部材２１の各側面部２１２ｃ，２１２ｄに設けた係止爪２１２ｂの位置と、電源装置２４の各取付片２４２ｆ及び第２延出部２４２ｃに設けた開口部２４２ｇの位置をそれぞれ合わせる。
【００３５】
そして、作業者が、すべての係止爪２１２ｂを開口部２４２ｇを通して内側に折り曲げると、各係止爪２１２ｂがそれぞれ対応する開口部２４２ｇの開口端縁に引っ掛かり、電源装置２４が取付部材２１に取り付けられる。このように、電源装置２４を両側面部２１２ｃ，２１２ｄに取り付けた場合には、取付部材２１に対して電源装置２４を強固に取り付けることができる。ここに、取付部材２１の底面部２１１及び側面部２１２ｄと、収納ケース２４２の側面部２４２ｄとで囲まれる空間により配線スペースが形成されている。
【００３６】
次に、光源ユニット２の組立手順について説明する。まず最初に、作業者は、電源装置２４及び端子台ブロック２５をそれぞれ取付部材２１の上面側に取り付け、さらに電源装置２４と端子台ブロック２５の間を電線により接続する。その後、作業者は、係止爪２１１ｃによりＬＥＤ基板２２を取付部材２１の底面部２１１に固定し、ＬＥＤ基板２２のコネクタ２２３から導出する電線を取付部材２１の底面部２１１に設けた孔２１１ａに通した後、その端部を電源装置２４に接続する。
【００３７】
そして最後に、作業者は、開口側を上向きにした状態でカバー部材２３を取付部材２１に組み付ける。このとき、カバー部材２３の各突壁部２３３にそれぞれ設けた突起部２３３ａが、取付部材２１の各側面部２１２ｃ，２１２ｄにそれぞれ設けた傾斜部２１２ａに引っ掛かり、カバー部材２３が取付部材２１に取り付けられる。以上のような手順に従って、光源ユニット２が組み立てられる。なお、カバー部材２３を取付部材２１に取り付ける上記方法は一例であり、他の方法であってもよい。
【００３８】
続けて、照明器具Ａの施工手順について説明する。まず最初に、作業者は、室内側に露出する上記電源線を器具本体１に設けた孔１１１ａに通し、天井材１００を通して室内側に露出する吊ボルト２００を孔１１１ｂに通した後、吊ボルト２００にナット３００をねじ込んで器具本体１を天井材１００に固定する。
【００３９】
その後、作業者は、上記電源線を端子台２５１に接続し、例えば器具本体１及び取付部材２１にそれぞれ設けた嵌合構造（図示せず）によって光源ユニット２を器具本体１に取り付ける。このとき、少なくとも電源装置２４及び端子台ブロック２５が収容凹部１１に収容される。以上のような手順に従って、照明器具Ａが天井に施工される。
【００４０】
図７（ａ）〜図７（ｃ）は電源装置２４を取付部材２１に取り付けた状態の別の例を示している。図６（ａ）〜図６（ｃ）では、電源装置２４を取付部材２１の両側面部２１２ｃ，２１２ｄに取り付けたが、本例では、電源装置２４を片方の側面部２１２ｃのみに取り付けている。本例の電源装置２４には、第１延出部２４２ｂ及び第２延出部２４２ｃが設けられておらず、収納部２４２ａに一体に設けられた取付片２４２ｆ，２４２ｆにより取付部材２１に取り付けられる。
【００４１】
つまり、作業者が、取付部材２１の側面部２１２ｃに設けた各係止爪２１２ｂの位置と、電源装置２４の各取付片２４２ｆに設けた開口部２４２ｇの位置を合わせた状態で電源装置２４を取付部材２１の収容部２１３に配置する。そして、作業者が、すべての係止爪２１２ｂを開口部２４２ｇを通して内側に折り曲げると、電源装置２４が取付部材２１に取り付けられる。
【００４２】
而して、本実施形態によれば、取付部材２１の側面部２１２ｃに電源装置２４を取り付けているので、底面部２１１の幅方向における中央に電源装置２４を取り付けた場合に比べて大きなスペースを確保することができる。これにより、比較的大きい電線や電気機能部品などを上記スペースに配置することができることから、電線や電気機能部品の配置の自由度を高めることができる。
【００４３】
また、本実施形態のように、取付部材２１の底面部２１１に接触しないようにして収納ケース２４２を側面部２１２ｃに取り付けた場合には、ＬＥＤ基板２２から電源装置２４への熱移動及び電源装置２４からＬＥＤ基板２２への熱移動を抑えることができる。さらに、端子台ブロック２５から電源装置２４への電線や、電源装置２４からＬＥＤ基板２２への電線、隣接する照明器具Ａへ電力を送る電線などを溝部２４２ｅに配線することで、配線スペースを別に設けなくてもよく、コストアップを抑えることができる。
【００４４】
また、例えば取付ねじを用いてＬＥＤ基板２２を底面部２１１に取り付けた場合、電源装置２４を底面部２１１に取り付けようとすると、取付部材２１の長手方向において上記取付ねじと干渉しない位置に取り付けなければならず、取り付けの自由度は低い。これに対して、電源装置２４を側面部２１２ｃに取り付けた場合には、取付部材２１の長手方向において上記取付ねじと干渉する位置であっても取り付けることができ、取り付けの自由度を高めることができる。
【００４５】
図８（ｂ）は本実施形態の照明器具Ａの別の例を示す断面図である。上述の実施例では、天井材１００に取り付けられる天井直付け型の照明器具について説明したが、本例のように、天井材１００に設けた埋込孔１００ａを通して天井裏に設置される天井埋込型の照明器具であってもよい。
【００４６】
本例の照明器具Ａは、吊ボルト（図示せず）を用いて天井裏に設置される支持部材４と、支持部材４に取り付けられる反射板５と、反射板５に対して着脱自在に取り付けられる光源ユニット２とを備える。なお、光源ユニット２については上述の実施例と同様であり、ここでは説明を省略する。
【００４７】
反射板５は、板金に曲げ加工を施すことで長尺且つ下面が開口する扁平な箱状に形成され、反射板５の底面部には、光源ユニット２を収容するための矩形の収容凹部５１が反射板５の全長に亘って設けられている。また、反射板５の開口端縁には、側方に延出する鍔部５２が全周に亘って設けられており、天井裏に設置された支持部材４に反射板５を取り付けた状態では、鍔部５２が天井材１００の下面に接している（図８（ｂ）参照）。ここに本例では、反射板５により器具本体が構成されている。
【００４８】
次に、照明器具Ａの施工手順について説明する。まず最初に、作業者は、天井材１００に設けた埋込孔１００ａを通して支持部材４を天井裏に配置し、天井裏に設けた吊ボルト（図示せず）に支持部材４を取り付ける。その後、作業者は、天井裏に配線された電源線（図示せず）を反射板５の収容凹部５１に設けた孔（図示せず）を通して室内側（下側）に引き出し、例えばねじなどを用いて反射板５を支持部材４に取り付ける。
【００４９】
そして、作業者は、上記電源線を端子台ブロック（図示せず）に接続し、例えば反射板５及び取付部材２１にそれぞれ設けた嵌合構造（図示せず）によって光源ユニット２を反射板５に取り付ける。このとき、少なくとも電源装置２４及び端子台ブロックが収容凹部５１に収容される。以上のような手順に従って、照明器具Ａが天井裏に設置される。
【００５０】
而して、本例においても、図５〜図７に示した取付部材２１を用いて、電源装置２４を取付部材２１の側面部２１２ｃに取り付けた場合には、底面部２１１の幅方向における中央に電源装置２４を取り付けた場合に比べて大きなスペースを確保することができる。これにより、比較的大きい電線や電気機能部品などを上記スペースに配置することができることから、電線や電気機能部品の配置の自由度を高めることができる。
【００５１】
なお、図７（ａ）〜図７（ｃ）に示すように、電源装置２４を片方の側面部２１２ｃのみに取り付けた場合でも反対側に溝部を設けてもよい。また、溝部の形状についても一例であり、電線や電気機能部品などが収納できるようになっていれば他の形状でもよい。さらに本実施形態では、取付部材２１の底面部２１１に接触しないように電源装置２４の収納ケース２４２を側面部２１２ｃに取り付けているが、熱の影響がない場合には底面部２１１に接触するように収納ケース２４２を側面部２１２ｃに取り付けてもよい。
【００５２】
本実施形態の光源ユニット２は、複数のＬＥＤ２２２が実装されたＬＥＤ基板２２と、ＬＥＤ基板２２が取り付けられる取付部材２１と、複数のＬＥＤ２２２に点灯電力を供給する電源装置２４とを備える。取付部材２１は、底面部２１１と、側面部２１２ｃ（第１側面部）及び側面部２１２ｄ（第２側面部）とで形成される。底面部２１１は、長尺且つ矩形板状に形成され、一面にＬＥＤ基板２２が取り付けられる。側面部２１２ｃ，２１２ｄは、底面部２１１の幅方向における両側から底面部２１１に対してＬＥＤ基板２２と反対側で且つ底面部２１１と交差する方向に突出する。電源装置２４は、少なくとも点灯電力を生成するための回路部品が実装された電源基板２４１と、電源基板２４１を収納するための収納ケース２４２とを有する。収納ケース２４２は、取付部材２１の側面部２１２ｃと対向する側面部２４２ｈ（第１側面部）と、取付部材２１の側面部２１２ｄと対向する側面部２４２ｄ（第２側面部）とを有する。収納ケース２４２は、取付部材２１の側面部２１２ｄから収納ケース２４２の側面部２４２ｄまでの距離が、取付部材２１の側面部２１２ｃから収納ケース２４２の側面部２４２ｈまでの距離よりも長くなるように配置される。また、収納ケース２４２は、取付部材２１の底面部２１１及び側面部２１２ｃ，２１２ｄで囲まれる空間に配置される。
【００５３】
また、本実施形態の光源ユニット２のように、取付部材２１の底面部２１１及び側面部２１２ｄと、収納ケース２４２の側面部２４２ｄとで囲まれる空間により配線スペースが形成されるのが好ましい。
【００５４】
また、本実施形態の光源ユニット２のように、収納ケース２４２は、取付部材２１に取り付けた状態で底面部２１１と対向する一面が開口した矩形箱状の収納部２４２ａを有するのが好ましい。この場合、収納ケース２４２は、第１延出部２４２ｂ、第２延出部２４２ｃ及び収納部２４２ａの側面部２４２ｄで囲まれる空間からなる溝部２４２ｅをさらに有している。第１延出部２４２ｂは、収納部２４２ａの開口端縁から底面部２１１の幅方向に沿って延出し、第２延出部２４２ｃは、第１延出部２４２ｂの先端から第１延出部２４２ｂに対して底面部２１１と反対側で且つ第１延出部２４２ｂと交差する方向に延出する。また、側面部２４２ｄは、第２延出部２４２ｃと対向する。
【００５５】
本実施形態の照明器具Ａは、長尺状に形成された器具本体１と、器具本体１に取り付けられる光源ユニット２とを備える。光源ユニット２は、複数のＬＥＤ２２２が実装されたＬＥＤ基板２２と、複数のＬＥＤ２２２が器具本体１と反対側を向くようにしてＬＥＤ基板２２を器具本体１に取り付ける取付部材２１と、複数のＬＥＤ２２２に点灯電力を供給する電源装置２４とを有する。取付部材２１は、底面部２１１と、側面部２１２ｃ（第１側面部）及び側面部２１２ｄ（第２側面部）とで形成される。底面部２１１は、長尺且つ矩形板状に形成され、一面にＬＥＤ基板２２が取り付けられる。側面部２１２ｃ，２１２ｄは、底面部２１１の幅方向における両側から底面部２１１に対してＬＥＤ基板２２と反対側で且つ底面部２１１と交差する方向に突出する。電源装置２４は、少なくとも点灯電力を生成するための回路部品が実装された電源基板２４１と、電源基板２４１を収納するための収納ケース２４２とを有する。収納ケース２４２は、取付部材２１の側面部２１２ｃと対向する側面部２４２ｈ（第１側面部）と、取付部材２１の側面部２１２ｄと対向する側面部２４２ｄ（第２側面部）とを有する。収納ケース２４２は、取付部材２１の側面部２１２ｄから収納ケース２４２の側面部２４２ｄまでの距離が、取付部材２１の側面部２１２ｃから収納ケース２４２の側面部２４２ｈまでの距離よりも長くなるように配置される。また、収納ケース２４２は、取付部材２１の底面部２１１及び側面部２１２ｃ，２１２ｄで囲まれる空間に配置される。
【００５６】
また、本実施形態の照明器具Ａのように、取付部材２１の底面部２１１及び側面部２１２ｄと、収納ケース２４２の側面部２４２ｄとで囲まれる空間により配線スペースが形成されるのが好ましい。
【００５７】
また、本実施形態の照明器具Ａのように、収納ケース２４２は、取付部材２１に取り付けた状態で底面部２１１と対向する一面が開口した矩形箱状の収納部２４２ａを有するのが好ましい。この場合、収納ケース２４２は、第１延出部２４２ｂ、第２延出部２４２ｃ及び収納部２４２ａの側面部２４２ｄで囲まれる空間からなる溝部２４２ｅをさらに有している。第１延出部２４２ｂは、収納部２４２ａの開口端縁から底面部２１１の幅方向に沿って延出し、第２延出部２４２ｃは、第１延出部２４２ｂの先端から第１延出部２４２ｂに対して底面部２１１と反対側で且つ第１延出部２４２ｂと交差する方向に延出する。また、側面部２４２ｄは、第２延出部２４２ｃと対向する。
【符号の説明】
【００５８】
２１  取付部材
２２  ＬＥＤ基板
２１１  底面部
２１２ｃ  側面部（取付部材の第１側面部）
２１２ｄ  側面部（取付部材の第２側面部）
２４２  収納ケース
２４２ｄ  側面部（収納ケースの第２側面部）
２４２ｈ  側面部（収納ケースの第１側面部）
【図１】
2014078512.tif 000003
【図２】
2014078512.tif 000004
【図３】
2014078512.tif 000005
【図４】
2014078512.tif 000006
【図５】
2014078512.tif 000007
【図６】
2014078512.tif 000008
【図７】
2014078512.tif 000009
【図８】
2014078512.tif 000010
【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
複数のＬＥＤが実装されたＬＥＤ基板と、前記ＬＥＤ基板が取り付けられる取付部材と、前記複数のＬＥＤに点灯電力を供給する電源装置とを備え、
前記取付部材は、長尺且つ矩形板状に形成され一面に前記ＬＥＤ基板が取り付けられる底面部と、前記底面部の幅方向における両側から前記底面部に対して前記ＬＥＤ基板と反対側で且つ前記底面部と交差する方向に突出する第１側面部及び第２側面部とで形成されており、
前記電源装置は、少なくとも前記点灯電力を生成するための回路部品が実装された電源基板と、前記電源基板を収納するための収納ケースとを有し、
前記収納ケースは、前記取付部材の前記第１側面部と対向する第１側面部と、前記取付部材の前記第２側面部と対向する第２側面部とを有し、前記取付部材の前記第２側面部から前記収納ケースの前記第２側面部までの距離が、前記取付部材の前記第１側面部から前記収納ケースの前記第１側面部までの距離よりも長くなるように配置され、
前記収納ケースは、前記取付部材の前記底面部、前記第１側面部及び前記第２側面部で囲まれる第１空間に配置され、且つ前記取付部材に取り付けられており、
前記取付部材の前記底面部及び前記第２側面部と、前記収納ケースの前記第２側面部とで囲まれる第２空間を有し、前記第２空間は、前記取付部材の前記底面部と対向する側が、取付部材の第２側面部及び収納ケースの第２側面部に沿って開口しており、取付部材の第２側面部と収納ケースの第２側面部との間が開口した溝状に形成されていることを特徴とする光源ユニット。
【請求項２】
前記第２空間により配線スペースが形成されていることを特徴とする請求項１記載の光源ユニット。
【請求項３】
前記収納ケースは、前記取付部材に取り付けた状態で前記底面部と対向する一面が開口した矩形箱状の収納部を有し、
前記収納部における前記取付部材の前記第２側面部との対向部位が前記収納ケースの前記第２側面部であり、
前記収納ケースは、前記収納部の前記第２側面部の開口端縁から前記取付部材の前記底面部の幅方向に沿って延出する第１延出部を有していることを特徴とする請求項１又は２記載の光源ユニット。
【請求項４】
長尺状に形成された器具本体と、前記器具本体に取り付けられる光源ユニットとを備え、
前記光源ユニットは、複数のＬＥＤが実装されたＬＥＤ基板と、前記複数のＬＥＤが前記器具本体と反対側を向くようにして前記ＬＥＤ基板を前記器具本体に取り付けるための取付部材と、前記複数のＬＥＤに点灯電力を供給する電源装置とを有し、
前記取付部材は、長尺且つ矩形板状に形成され一面に前記ＬＥＤ基板が取り付けられる底面部と、前記底面部の幅方向における両側から前記底面部に対して前記ＬＥＤ基板と反対側で且つ前記底面部と交差する方向に突出する第１側面部及び第２側面部とで形成されており、
前記電源装置は、少なくとも前記点灯電力を生成するための回路部品が実装された電源基板と、前記電源基板を収納するための収納ケースとを有し、
前記収納ケースは、前記取付部材の前記第１側面部と対向する第１側面部と、前記取付部材の前記第２側面部と対向する第２側面部とを有し、前記取付部材の前記第２側面部から前記収納ケースの前記第２側面部までの距離が、前記取付部材の前記第１側面部から前記収納ケースの前記第１側面部までの距離よりも長くなるように配置され、
前記収納ケースは、前記取付部材の前記底面部、前記第１側面部及び前記第２側面部で囲まれる第１空間に配置され、且つ前記取付部材に取り付けられており、
前記取付部材の前記底面部及び前記第２側面部と、前記収納ケースの前記第２側面部とで囲まれる第２空間を有し、前記第２空間は、前記取付部材の前記底面部と対向する側が、取付部材の第２側面部及び収納ケースの第２側面部に沿って開口しており、取付部材の第２側面部と収納ケースの第２側面部との間が開口した溝状に形成されていることを特徴とする照明器具。
【請求項５】
前記第２空間により配線スペースが形成されていることを特徴とする請求項４記載の照明器具。
【請求項６】
前記収納ケースは、前記取付部材に取り付けた状態で前記底面部と対向する一面が開口した矩形箱状の収納部を有し、
前記収納部における前記取付部材の前記第２側面部との対向部位が前記収納ケースの前記第２側面部であり、
前記収納ケースは、前記収納部の前記第２側面部の開口端縁から前記取付部材の前記底面部の幅方向に沿って延出する第１延出部を有していることを特徴とする請求項４又は５記載の照明器具。
【手続補正２】
【補正対象書類名】明細書
【補正対象項目名】０００７
【補正方法】変更
【補正の内容】
【０００７】
本発明の光源ユニットは、複数のＬＥＤが実装されたＬＥＤ基板と、前記ＬＥＤ基板が取り付けられる取付部材と、前記複数のＬＥＤに点灯電力を供給する電源装置とを備え、前記取付部材は、長尺且つ矩形板状に形成され一面に前記ＬＥＤ基板が取り付けられる底面部と、前記底面部の幅方向における両側から前記底面部に対して前記ＬＥＤ基板と反対側で且つ前記底面部と交差する方向に突出する第１側面部及び第２側面部とで形成されており、前記電源装置は、少なくとも前記点灯電力を生成するための回路部品が実装された電源基板と、前記電源基板を収納するための収納ケースとを有し、前記収納ケースは、前記取付部材の前記第１側面部と対向する第１側面部と、前記取付部材の前記第２側面部と対向する第２側面部とを有し、前記取付部材の前記第２側面部から前記収納ケースの前記第２側面部までの距離が、前記取付部材の前記第１側面部から前記収納ケースの前記第１側面部までの距離よりも長くなるように配置され、前記収納ケースは、前記取付部材の前記底面部、前記第１側面部及び前記第２側面部で囲まれる第１空間に配置され、且つ前記取付部材に取り付けられており、前記取付部材の前記底面部及び前記第２側面部と、前記収納ケースの前記第２側面部とで囲まれる第２空間を有し、前記第２空間は、前記取付部材の前記底面部と対向する側が、取付部材の第２側面部及び収納ケースの第２側面部に沿って開口しており、取付部材の第２側面部と収納ケースの第２側面部との間が開口した溝状に形成されていることを特徴とする。
【手続補正３】
【補正対象書類名】明細書
【補正対象項目名】０００８
【補正方法】変更
【補正の内容】
【０００８】
この光源ユニットにおいて、前記第２空間により配線スペースが形成されているのが好ましい。
【手続補正４】
【補正対象書類名】明細書
【補正対象項目名】０００９
【補正方法】変更
【補正の内容】
【０００９】
また、この光源ユニットにおいて、前記収納ケースは、前記取付部材に取り付けた状態で前記底面部と対向する一面が開口した矩形箱状の収納部を有し、前記収納部における前記取付部材の前記第２側面部との対向部位が前記収納ケースの前記第２側面部であり、前記収納ケースは、前記収納部の前記第２側面部の開口端縁から前記取付部材の前記底面部の幅方向に沿って延出する第１延出部を有しているのも好ましい。
【手続補正５】
【補正対象書類名】明細書
【補正対象項目名】００１０
【補正方法】変更
【補正の内容】
【００１０】
本発明の照明器具は、長尺状に形成された器具本体と、前記器具本体に取り付けられる光源ユニットとを備え、前記光源ユニットは、複数のＬＥＤが実装されたＬＥＤ基板と、前記複数のＬＥＤが前記器具本体と反対側を向くようにして前記ＬＥＤ基板を前記器具本体に取り付けるための取付部材と、前記複数のＬＥＤに点灯電力を供給する電源装置とを有し、前記取付部材は、長尺且つ矩形板状に形成され一面に前記ＬＥＤ基板が取り付けられる底面部と、前記底面部の幅方向における両側から前記底面部に対して前記ＬＥＤ基板と反対側で且つ前記底面部と交差する方向に突出する第１側面部及び第２側面部とで形成されており、前記電源装置は、少なくとも前記点灯電力を生成するための回路部品が実装された電源基板と、前記電源基板を収納するための収納ケースとを有し、前記収納ケースは、前記取付部材の前記第１側面部と対向する第１側面部と、前記取付部材の前記第２側面部と対向する第２側面部とを有し、前記取付部材の前記第２側面部から前記収納ケースの前記第２側面部までの距離が、前記取付部材の前記第１側面部から前記収納ケースの前記第１側面部までの距離よりも長くなるように配置され、前記収納ケースは、前記取付部材の前記底面部、前記第１側面部及び前記第２側面部で囲まれる第１空間に配置され、且つ前記取付部材に取り付けられており、前記取付部材の前記底面部及び前記第２側面部と、前記収納ケースの前記第２側面部とで囲まれる第２空間を有し、前記第２空間は、前記取付部材の前記底面部と対向する側が、取付部材の第２側面部及び収納ケースの第２側面部に沿って開口しており、取付部材の第２側面部と収納ケースの第２側面部との間が開口した溝状に形成されていることを特徴とする。
【手続補正６】
【補正対象書類名】明細書
【補正対象項目名】００１１
【補正方法】変更
【補正の内容】
【００１１】
この照明器具において、前記第２空間により配線スペースが形成されているのが好ましい。
【手続補正７】
【補正対象書類名】明細書
【補正対象項目名】００１２
【補正方法】変更
【補正の内容】
【００１２】
また、この照明器具において、前記収納ケースは、前記取付部材に取り付けた状態で前記底面部と対向する一面が開口した矩形箱状の収納部を有し、前記収納部における前記取付部材の前記第２側面部との対向部位が前記収納ケースの前記第２側面部であり、前記収納ケースは、前記収納部の前記第２側面部の開口端縁から前記取付部材の前記底面部の幅方向に沿って延出する第１延出部を有しているのも好ましい。
【手続補正８】
【補正対象書類名】明細書
【補正対象項目名】００３２
【補正方法】変更
【補正の内容】
【００３２】
そして、この電源装置２４は、取付部材２１の底面部２１１及び両側面部２１２，２１２で囲まれる空間からなる収容部２１３（第１空間）に少なくとも一部が収容された状態で取付部材２１に取り付けられる。なお、取付方法については後述する。
【手続補正９】
【補正対象書類名】明細書
【補正対象項目名】００４２
【補正方法】変更
【補正の内容】
【００４２】
而して、本実施形態によれば、取付部材２１の側面部２１２ｃに電源装置２４を取り付けているので、底面部２１１の幅方向における中央に電源装置２４を取り付けた場合に比べて大きなスペース（第２空間）を確保することができる。これにより、比較的大きい電線や電気機能部品などを上記スペースに配置することができることから、電線や電気機能部品の配置の自由度を高めることができる。